(57)【要約】      （修正有）【課題】無方向性に電気接続される環状型コネクタを提供する。【解決手段】オスプラグ１２と、メスソケットと、環状部材とを備える環状型コネクタであってオスプラグは、第１環状本体１２２と、第３環状本体１２４と、第１電極組立体１２６と、第３電極組立体１２８とを備え、メスソケットは、第１台座体と、第２環状本体と、第４環状本体と、第２台座体と、第２電極組立体と、第４電極組立体とを備え、オスプラグとメスソケットとを結合する。第３環状本体が第２環状本体と第４環状本体との間に差し込まれることで、第３電極組立体を第２電極組立体に電気的に接続させ、第１電極組立体を第４電極組立体に電気的に接続させる。このほか、第１電極組立体と、第２電極組立体と、第３電極組立体と、第４電極組立体とは、環状部材と第３環状本体との結合を受けることで、外部から侵入する水気と塵埃を阻止し、かつ無方向性の電気的な接続を実現することができる。【選択図】図３
0003231920.tif 000002
【実用新案登録請求の範囲】
【請求項１】
第１回路板と第２回路板とに適用される環状型コネクタであって、
前記第１回路板と接続するためのオスプラグと、前記第２回路板と接続するためのメスソケットと、環状部材とを備え、
前記オスプラグは、第１環状本体と、前記第１環状本体に積み重ねられる第３環状本体と、第１電極組立体と、第３電極組立体とを有し、
前記メスソケットは、第１台座体と、第２環状本体と、第４環状本体と、第２台座体と、第２電極組立体と、第４電極組立体とを有し、前記メスソケットの中心点から外向きにそれぞれ前記第２台座体と、前記第４環状本体と、前記第２環状本体と、前記第１台座体とが配列され、前記第１台座体と前記第２環状本体との間に前記第２電極組立体が設置され、前記第４環状本体と前記第２台座体との間に前記第４電極組立体が設置され、
前記環状部材は、係止リング部と、弾性部とを有し、前記係止リング部は、前記弾性部の一端に接続され、前記係止リング部には、前記第２環状本体を係着し、前記第１台座体を前記弾性部で被覆し、かつ前記弾性部は、前記第２環状本体と前記第１台座体との間のフローティングに伴って変形を生じ、
前記オスプラグと前記メスソケットとを結合し、前記第３環状本体が前記第２環状本体と前記第４環状本体との間に差し込まれることで、前記第３電極組立体の第２端を前記第２電極組立体の第１端に電気的に接続させ、前記第１電極組立体の第２端を前記第４電極組立体の第１端に電気的に接続させ、かつ前記第１電極組立体と、前記第２電極組立体と、前記第３電極組立体と、前記第４電極組立体とは、前記環状部材と前記第３環状本体との結合を受けることで、外部からの水気と塵埃を阻止することを特徴とする、環状型コネクタ。
【請求項２】
前記第１電極組立体の第１端を設置するために、前記第１環状本体の内周縁に第１溝体が形成され、前記第１電極組立体の第２端を設置するために、前記第３環状本体の内周縁に第３溝体が形成され、前記第３電極組立体の第１端を設置するために、前記第１環状本体の外周縁に第５溝体が形成され、前記第３電極組立体の第２端を設置するために、前記第３環状本体の外周縁に第７溝体が形成されていることを特徴とする、請求項１に記載の環状型コネクタ。
【請求項３】
前記第２電極組立体の第１端を設置するために、前記第２環状本体に前記第７溝体に対応する第２溝体が形成され、前記第４電極組立体の第１端を設置するために、前記第４環状本体に前記第３溝体に対応する第４溝体が形成され、前記第２電極組立体及び前記第４電極組立体のうちの少なくとも一方は、フローティング構造を有することを特徴とする、請求項２に記載の環状型コネクタ。
【請求項４】
前記第３環状本体の内縁に第１位置決め構造をさらに含み、前記第４環状本体の外縁に第２位置決め構造をさらに含み、前記第１位置決め構造と前記第２位置決め構造とを結合することにより、前記オスプラグを前記メスソケットに所定の角度で接続することを特徴とする、請求項１に記載の環状型コネクタ。
【請求項５】
前記環状部材は、前記第２回路板に設置されるために供され、前記弾性部の他端に接続される抑圧部をさらに有することを特徴とする、請求項１に記載の環状型コネクタ。
【請求項６】
押圧条材が形成される外筐体をさらに含み、前記押圧条材を介して前記抑圧部を前記第２回路板に抑圧することを特徴とする、請求項５に記載の環状型コネクタ。
【請求項７】
前記弾性部に山部分と谷部分とを有する波型構造が形成され、前記環状部材に伸展性及び圧縮性を持たせることを特徴とする、請求項１に記載の環状型コネクタ。
【請求項８】
前記第１環状本体は、前記第１環状本体に囲続設置され、かつ前記第３環状本体の外縁に隣接する凸リブリングをさらに含むことを特徴とする、請求項１に記載の環状型コネクタ。
【請求項９】
メスソケットと第２回路板とに適用される環状型コネクタの環状部材であって、
前記メスソケットは、前記第２回路板と接続するために、第１台座体と、第２環状本体と、第４環状本体と、第２台座体と、第２電極組立体と、第４電極組立体とを有し、前記メスソケットの中心点から外向きにそれぞれ前記第２台座体と、前記第４環状本体と、前記第２環状本体と、前記第１台座体とが配列され、
前記環状型コネクタの環状部材は、前記第２環状本体の外縁を係着するための係止リング部と、一端が前記係止リング部に接続される弾性部と、前記弾性部の他端に接続されて前記第２回路板に設置されるために供される抑圧部とを有し、
前記弾性部は、前記第１台座体を被覆するために供され、
前記弾性部は、前記第２環状本体と前記第１台座体との間のフローティングに伴って変形を生じることを特徴とする、環状型コネクタの環状部材。
【考案の詳細な説明】
【技術分野】
【０００１】
本考案は、コネクタの技術分野に係り、特に、無方向性に電気接続される環状型コネクタに関するものである。
【背景技術】
【０００２】
伝統的なコネクタは、オスプラグと、メスソケットとを備え、可視範囲内でオスプラグとメスソケットとの結合を行うことにより、電力と信号を伝達する目的を達成することができる。別のいくつかの特殊分野において、本考案者が提案した環状型コネクタのように、ブラインド嵌挿を行うことができるので、操作者が不用意にオスプラグをメスソケットに差し込んでしまうと、オスプラグとメスソケットが損傷や破壊されてしまうことがあり、甚だしい場合には、電子製品に損傷や破壊が生じることを回避することができる。
【０００３】
環状型コネクタでは、伝統的なコネクタの問題を解決しているものの、環状型コネクタは、多くの端子（電極とも称する）を有するように設計されるため、複数の端子の間の空隙が非常に密集するため、外部から水気や塵埃が侵入することにより、信号誤りまたは電力短絡の現象が容易に起こり得る。
【０００４】
これに鑑み、本考案は、伝統的なコネクタにより生じる問題や解決できない問題を解決することができる環状型コネクタを提案する。
【考案の概要】
【考案が解決しようとする課題】
【０００５】
本考案の第１の目的は、オスプラグとメスソケットとを提供し、オスプラグとメスソケットとにより無方向性のブラインド嵌挿接続を実現することができる環状型コネクタを提供することにある。
【０００６】
本考案の第２の目的は、上記の環状型コネクタにおいて、メスソケットを設置するために、環状部材を提供することで、防塵効果と防水気効果を達成できるものを提供することにある。
【０００７】
本考案の第３の目的は、上記の環状型コネクタにおいて、押圧条材を有する外筐体を提供し、押圧条材が環状部材を押圧することにより、防塵効果と防水気効果を強化できるものを提供することにある。
【０００８】
本考案の第４の目的は、上記の環状型コネクタにおいて、オスプラグが、オスプラグの第１環状本体に囲続設置され、かつオスプラグの第３環状本体の外縁に隣接する凸リブリングをさらに含むことで、防塵効果と防水気効果を達成できるものを提供することにある。
【０００９】
本考案の第５の目的は、上記の環状型コネクタにおいて、オスプラグの第３環状本体の内縁に第１位置決め構造を提供し、メスソケットの第４環状本体の外縁に第２位置決め構造を提供し、第１位置決め構造と第２位置決め構造とを結合することにより、オスプラグをメスソケットに所定の角度で接続することで、ブラインド嵌挿の目的を達成できるものを提供することにある。
【００１０】
本考案の第６の目的は、上記の環状型コネクタにおいて、オスプラグとメスソケットとが、環状構造をそれぞれ別々に提供し、かつそれぞれの環状構造ごとに提供される相応の電極組立体は、前記複数の環状構造が結合することにより、電極組立体が、オスプラグとメスソケットとの間に電力伝達及び制御信号伝達のうちの少なくとも一方を実現できるものを提供することにある。
【００１１】
本考案の第７の目的は、上記の環状型コネクタにおいて、環状構造に提供される電極組立体の個数は、実際製品の応用要求に応じて調整設計を行うことができるものを提供することにある。
【００１２】
本考案の第８の目的は、上記の環状型コネクタにおいて、多数個の環状構造において、各環状構造の電極組立体は、独立した制御信号伝達及び／または電力伝達を持つものであってもよく、あるいは、環状構造の電極組立体における電極は、同時に制御信号伝達と電力伝達とを持つものであってもよいものを提供することにある。
【００１３】
本考案の第９の目的は、上記の環状型コネクタにおいて、多数個の環状構造には、それぞれの環状構造ごとに提供される電極組立体の電極の個数が、同じであってもよく、異なってもよく、かつ多数個の環状構造の間の電極組立体の位置は、対称または非対称の配置に設計されてもよいものを提供することにある。
【００１４】
本考案の第１０の目的は、上記の環状型コネクタにおいて、ディスプレイ分野、自動車用分野またはその他の電気的な接続が必要な応用分野に適用されるものを提供することにある。
【課題を解決するための手段】
【００１５】
上記の目的及びその他の目的を達成するために、本考案は、第１回路板と第２回路板とに適用される環状型コネクタを提供する。環状型コネクタは、オスプラグと、メスソケットと、環状部材とを備える。オスプラグは、第１回路板と接続することができる。オスプラグは、第１環状本体と、第３環状本体と、第１電極組立体と、第３電極組立体とを有する。第３環状本体は、第１環状本体に積み重ねられる。メスソケットは、第２回路板と接続することができる。メスソケットは、第１台座体と、第２環状本体と、第４環状本体と、第２台座体と、第２電極組立体と、第４電極組立体とを有し、メスソケットの中心点から外向きにそれぞれ第２台座体と、第４環状本体と、第２環状本体と、第１台座体とが配列され、第１台座体と第２環状本体との間に第２電極組立体が設置され、第４環状本体と第２台座体との間に第４電極組立体が設置される。環状部材は、係止リング部と、弾性部とを有する。係止リング部は、弾性部の一端に接続される。係止リング部には、第２環状本体を係着する。第１台座体を弾性部で被覆し、かつ弾性部は、第２環状本体と第１台座体との間のフローティングに伴って変形を生じる。その内、オスプラグとメスソケットとを結合すると、第３環状本体が第２環状本体と第４環状本体との間に差し込まれることで、第３電極組立体の第２端を第２電極組立体の第１端に電気的に接続させ、第１電極組立体の第２端を第４電極組立体の第１端に電気的に接続させ、かつ第１電極組立体と、第２電極組立体と、第３電極組立体と、第４電極組立体とは、環状部材と第３環状本体との結合を受けることで、外部から侵入する水気と塵埃を阻止する。
【００１６】
また、上記の目的及びその他の目的を達成するために、本考案は、メスソケットと第２回路板とに適用される環状型コネクタの環状部材を提供する。メスソケットは、第２回路板と接続するために、第１台座体と、第２環状本体と、第４環状本体と、第２台座体と、第２電極組立体と、第４電極組立体とを有する。メスソケットの中心点から外向きにそれぞれ第２台座体と、第４環状本体と、第２環状本体と、第１台座体とが配列される。環状型コネクタの環状部材は、係止リング部と、弾性部と、抑圧部とを有する。係止リング部には、第２環状本体を係着することができる。弾性部の一端が係止リング部に接続される。弾性部は、第１台座体を被覆することができる。弾性部は、第２環状本体と第１台座体との間のフローティングに伴って変形を生じる。抑圧部は、弾性部の他端に接続されて第２回路板に設置されることができる。
【考案の効果】
【００１７】
現有の技術に比べて、本考案が提供する環状型コネクタは、無方向性に接続される利便性を実現し、環状型コネクタにより、限られた空間内に多くとも百本以上に達する端子（即ち、本考案で称する電極）を設置することができる。このほか、本考案は、水気や塵埃により起きる端子間の短絡に起因する誤動作を回避するために、端子の保護設置として用いられる環状部材を提供する。本考案においては、１個の環状構造において電力伝達の設計と制御信号伝達の設計とを同時に行うことができ、及び異なる環状構造において独立した電力伝達の設計と制御信号伝達の設計とをそれぞれ別々に行うことができるので、設計者により、限られた空間でより多くの端子と各端子の伝達に基づく設計を可能にすることから、より複雑でよりハイエンドな応用を実現することができる。
【図面の簡単な説明】
【００１８】
【図１】本考案の一実施形態の環状型コネクタの構造模式図である。
【図２】本考案の図１の環状型コネクタの接続を説明する側面図である。
【図３】本考案の図１のオスプラグを説明する下面図である。
【図４】本考案の図１のオスプラグを説明して示す側面図である。
【図５】本考案の図１のメスソケットを説明する一部上面図である。
【図６】本考案の図１のメスソケットを説明する一部斜視図である。
【図７】本考案の図１のメスソケットと環状部材との結合を説明する上面図である。
【図８】本考案の図１のメスソケットと環状部材との結合を説明する斜視図である。
【図９】本考案のメスソケット及び環状部材と蓋体との接続を説明する上面図である。
【考案を実施するための形態】
【００１９】
本考案の目的、特徴及び効果を十分に理解してもらうため、ここで、添付の図面を参照して、下記の具体的な実施形態により、後述のように本考案を詳細に説明する。
【００２０】
本考案において、「１つ」または「１個」は、本文に記載されたユニット、エレメント及びコンポーネントを記述するために使用されるものである。これは単に説明の便宜上のためのものであり、なおかつ本考案の範疇に対して一般的な意義を与えるためのものである。従って、別段の意味が明記されていない限り、このような記述は、１個、少なくとも１個を含み、かつ単数形は、複数形をも含むものと理解するべきである。
【００２１】
本考案において、「備える」、「含む」、「有する」、「含有する」という用語、または他のいかなる類似の用語は、非排他的な包含関係をカバーするように意図される。例を挙げて言えば、複数の要件を含有するエレメント、構造、製品または装置は、本文に列挙されたそれらの要件だけに限定されることは必須でなく、明示的には列挙されていないまたは本来備わっているはずの他の要件が、そのようなエレメント、構造、製品または装置に含まれてもよい。このほか、反対の明確な説明がない限り、「または」という用語は、排他的な「または」ではなく、包括的な「または」を意味することが意図されている。
【００２２】
本考案の一実施形態の環状型コネクタの構造模式図である図１を参照する。図１において、環状型コネクタ１０は、第１回路板２と第２回路板４とに適用され、その接続方式は、本考案の図１の環状型コネクタの接続を説明する側面図である図２を併せて参照することができる。一実施形態において、第１回路板２は、表示パネル（未図示）の一部であってもよく、第２回路板４は、例えば、壁（未図示）の枠体に設置されてもよく、第１回路板２に設置されるオスプラグ１２と、第２回路板４に設置されるメスソケット１４とを結合することにより、表示パネルは、第１回路板２のオスプラグ１２を介してメスソケット１４からの制御信号と電力信号を受信することができる。
【００２３】
環状型コネクタ１０は、オスプラグ１２と、メスソケット１４と、環状部材１６とを備える。本実施形態において、環状型コネクタ１０は、円形環を例として説明し、他の実施形態において、環状型コネクタ１０は、さらに矩形環状、偶数辺形環状や奇数辺形環状などの環状体であってもよい。
【００２４】
本考案の図１のオスプラグを説明する下面図である図３を参照する。図２において、オスプラグ１２には、第１環状本体１２２と、第３環状本体１２４と、第１電極組立体１２６（第１端１２６２と第２端１２６４）と、第３電極組立体１２８（第１端１２８２と第２端１２８４）と、第１溝体１２２２と、第３溝体１２４２と、第５溝体１２２４と、第７溝体１２４４とが示されている。
【００２５】
第１環状本体１２２と第３環状本体１２４は、いずれも円形環であり、かつ第１環状本体１２２の直径が第３環状本体１２４の直径より大きい。本実施形態において、第３環状本体１２４は、第１環状本体１２２の上方に積み重ねられることにより、第３環状本体１２４を第１環状本体１２２から突出させ、その模式図は、図４を参照することができ、それはオスプラグを示す側面図である。
【００２６】
本実施形態において、第３溝体１２４２の配列位置と第５溝体１２２４の配列位置とは、非対称方式を用いる例を挙げて説明し、他の実施形態において、第３溝体１２４２の配列位置と第５溝体１２２４の配列位置とは、対称的であってもよい。第３溝体１２４２の配列位置と第５溝体１２２４の配列位置とに応じて、第１電極組立体１２６の配列位置と第３電極組立体１２８の配列位置とを同時に変更する。
【００２７】
詳細に言えば、第１環状本体１２２において、第３電極組立体１２８の第１端１２８２を設置するために、その外周縁の部分に第５溝体１２２４が形成される。その内、第３電極組立体１２８の第１端１２８２は、第１回路板２からの制御信号及び／または電力信号（未図示）を受信するために、第１回路板２に半田付け接続するために用いられる。なお、第３電極組立体１２８の第２端１２８４は、また、第１環状本体１２２を通り抜けて第３環状本体１２４の第７溝体１２４４から露呈している。第１電極組立体１２６の第１端１２６２を設置するために、第１環状本体１２２の内周縁に第１溝体１２２２が形成される。第１電極組立体１２６の第１端１２６２も、第１回路板２からの制御信号及び／または電力信号（未図示）を受信するために、第１回路板２に半田付け接続するために用いられる。
【００２８】
第３環状本体１２４においては、上記に言及したように、その外周縁に第７溝体１２４４が形成されるほか、その内周縁に第３溝体１２４２が形成されてもよい。第３溝体１２４２は、第１電極組立体１２６の第２端１２６４を設置するために用いられる。
【００２９】
前述において、第５溝体１２２４と第７溝体１２４４の個数は、第３電極組立体１２８の個数より多いか、または等しく、及び第１溝体１２２２と第３溝体１２４２の個数は、第１電極組立体１２６の個数より多いか、または等しい。
【００３０】
本実施形態において、第１環状本体１２２に突出的に囲続設置され、かつ第３環状本体１２４の外縁に隣接し、第１環状本体１２２より略高く、かつ第３環状本体１２４より低いか、または等しく配置される凸リブリング１２１０を選択的に増加してもよく、オスプラグ１２とメスソケット１４とを結合した後、防塵効果と防水気効果を有することができるようにすることをその目的とする。
【００３１】
本実施形態において、第３環状本体１２４の内縁に突出設置される第１位置決め構造１２１２を選択的に増加してもよく、第１位置決め構造１２１２を設置する位置に応じてオスプラグ１２とメスソケット１４との結合のために供されるとき、所定の角度でブラインド嵌挿を行うことができ、所定の角度は、例えば、０度、９０度、１８０度、２７０度などである。
【００３２】
図５〜図８を参照する。図５は、本考案の図１のメスソケットを説明する一部上面図であり、図６は、本考案の図１のメスソケットを説明する一部斜視図であり、図７は、本考案の図１のメスソケットと環状部材との結合を説明する上面図であり、図８は、本考案の図１のメスソケットと環状部材との結合を説明する斜視図である。
【００３３】
メスソケット１４には、第１台座体１４２と、第２環状本体１４４と、第４環状本体１４６と、第２台座体１４８と、第２電極組立体１４１０と、第４電極組立体１４１２とが示されている。第１台座体１４２と第２台座体１４８は、第２回路板４に固定されてもよい。メスソケット１４の中心点から外向きにそれぞれ第２台座体１４８と、第４環状本体１４６と、第２環状本体１４４と、第１台座体１４２とが配列される。
【００３４】
第１台座体１４２の材質は、例えば、プラスチックのような非導電的な材質であってもよい。第１台座体１４２の外周縁に多数個の溝体１４２２が形成され、複数の溝体１４２２は、第２電極組立体１４１０の第２端１４１０４を露出するために、第２環状本体１４４の第２溝体１４４２に対応する。第２電極組立体１４１０の第２端１４１０４は、第２回路板４からの制御信号及び／または電力信号（未図示）を受信するために、第２回路板４に半田付け接続するために用いられる。ここで、第１台座体１４２と第２環状本体１４４との間に第２電極組立体１４１０が設置される。第２電極組立体１４１０は、前述の第２端１４１０４が複数の溝体１４２２から露呈している以外、第２電極組立体１４１０は、さらにフローティング構造と、第１端１４１０２とを提供し、第２電極組立体１４１０の材質は、例えば、金属のような導電的な材質であってもよい。その内、フローティング構造の形状は、アルファベットＳに類似する形状であり、フローティング構造は、第２電極組立体１４１０の第１端１４１０２と第２端１４１０４との間に形成され、外力が第２環状本体１４４に作用するとき、フローティング構造を変形させる変形量に応じて第２環状本体１４４と第１台座体１４２との間の変位量を変化することができ、及び第２電極組立体１４１０の第１端１４１０２が第２溝体１４４２から露呈しており、第２回路板４からの制御信号及び／または電力信号を伝達するために用いられ、また、第２溝体１４４２は、図３の第３環状本体１２４の第７溝体１２４４に対応して設置される。
【００３５】
なお、第２台座体１４８の材質は、例えば、プラスチックのような非導電的な材質であってもよい。第２台座体１４８の内周縁に多数個の溝体１４８２が形成され、いわば第２台座体１４８の底部に形成され、複数の溝体１４８２においては、第４電極組立体１４１２の第２端１４１２４を露出する。第４電極組立体１４１２の第２端１４１２４は、第２回路板４からの制御信号及び／または電力信号（未図示）を受信するために、第２回路板４に半田付け接続するために用いられる。なお、第２台座体１４８と第４環状本体１４６との間に第４電極組立体１４１２が設置される。第４電極組立体１４１２は、前述の第２端１４１２４のほか、第４電極組立体１４１２は、さらにフローティング構造と、第１端１４１２２とを提供し、第４電極組立体１４１２の材質は、例えば、金属のような導電的な材質であってもよい。その内、フローティング構造の形状は、即ち、アルファベットＳに類似する形状であり、フローティング構造は、第４電極組立体１４１２の第１端１４１２２と第２端１４１２４との間に形成され、外力が第４環状本体１４６に作用するとき、フローティング構造を変形させる変形量に応じて第４環状本体１４６と第２台座体１４８との間の変位量を変化することができ、及び第４電極組立体１４１２の第１端１４１２２が第４溝体１４６２から露呈しており、第２回路板４からの制御信号及び／または電力信号を伝達するために用いられ、また、第４溝体１４６２は、図３の第３環状本体１２４の第３溝体１２４２に対応して設置される。
【００３６】
本実施形態において、第２溝体１４４２の配列位置と第４溝体１４６２の配列位置とは、非対称方式を用いる例を挙げて説明し、他の実施形態において、第２溝体１４４２の配列位置と第４溝体１４６２の配列位置とは、対称的であってもよい。第２溝体１４４２の配列位置と第４溝体１４６２の配列位置とに応じて、第２電極組立体１４１０の配列位置と第４電極組立体１４１２の配列位置とも同時に変更する。
【００３７】
前述の第２環状本体１４４の第２電極組立体１４１０の個数は、第４環状本体１４６の第４電極組立体１４１２の個数より多いか、または等しく、及び第２電極組立体１４１０の第２電極の配列位置と第４電極組立体１４１２の第４電極の配列位置とは、対称に形成されてもよく、または非対称に形成されてもよい。
【００３８】
前述に続き、個数と配列位置の設置を除くほか、第１電極組立体１２６及び第３電極組立体１２８同士は、互いに電力信号と制御信号とを独立に供給し、及び第２電極組立体１４１０及び第４電極組立体１４１２同士は、互いに電力信号と制御信号とを独立に供給し、及び第１電極組立体１２６または第３電極組立体１２８には、電力信号と制御信号とを同時に供給し、及び第２電極組立体１４１０または第４電極組立体１４１２には、電力信号と制御信号とを同時に供給する。
【００３９】
図８を併せて参照して、第１位置決め構造１２１２に対応するために用いられ、第４環状本体１４６の外縁に凹陥される第２位置決め構造１４１４を選択的に増加してもよく、第１位置決め構造１２１２を設置する位置に応じてオスプラグ１２とメスソケット１４との結合のために供されるとき、所定の角度でブラインド嵌挿を行うことができ、所定の角度は、例えば、０度、９０度、１８０度、２７０度などである。第１位置決め構造１２１２と第２位置決め構造１４１４との結合により、オスプラグ１２をメスソケット１４に所定の角度で接続する。
【００４０】
環状部材１６は、係止リング部１６２と、弾性部１６４とを有し、ここで、環状部材１６の形状は、メスソケット１４の第２環状本体１４４の形状と第４環状本体１４６の形状とに合致するための環状体を例として説明するが、他の実施形態において、任意の形状であってもよい。環状部材１６の材質は、ゴム材質であってもよく、それは弾性特性を有するので、引張と圧縮を行うことができる。なお、係止リング部１６２は、弾性部１６４の一端に接続される。ここで、係止リング部１６２には、第２環状本体１４４の外縁を係着する。
【００４１】
第１台座体１４２を弾性部１６４で被覆し、かつ弾性部１６４は、第２環状本体１４４と第１台座体１４２との間のフローティングに伴って変形を生じる。例を挙げて言えば、弾性部１６４に山部分１６６２と谷部分１６６４とを有する波型構造が形成され、環状部材１６に伸展性及び圧縮性を持たせる。
【００４２】
本実施形態において、環状部材１６は、さらに第２回路板４に設置できるように、弾性部１６４の他端に接続される抑圧部１６６を選択的に提供してもよく、弾性部１６４を係止リング部１６２と抑圧部１６６との間に設置させる。別の実施形態において、図２の蓋体６には、抑圧部１６６に合わせて押圧条材（未図示）を形成してもよく、押圧条材を介して抑圧部１６６を第２回路板４に押圧抑止することにより、環状部材１６を第２回路板４に緊密に抑圧させることができるため、防塵効果と防水気効果を達成することができる。
【００４３】
本考案のメスソケット及び環状部材と蓋体との接続を説明する上面図である図９を併せて参照する。図９において、蓋体６には、第２環状本体１４４と、第４環状本体１４６と、第２台座体１４８とを露呈させるための切り欠き６２が形成される。なお、別の実施形態において、メスソケット１４は、第４環状本体１４６の内縁に設置されて第４電極組立体１４１２を被覆するための蓋本体１４１６をさらに含んでもよい。
【符号の説明】
【００４４】
２…第１回路板
４…第２回路板
６…蓋体
６２…切り欠き
１０…環状型コネクタ
１２…オスプラグ
１２２…第１環状本体
１２２２…第１溝体
１２２４…第５溝体
１２４…第３環状本体
１２４２…第３溝体
１２４４…第７溝体
１２６…第１電極組立体
１２６２…第１電極組立体の第１端
１２６４…第１電極組立体の第２端
１２８…第３電極組立体
１２８２…第３電極組立体の第１端
１２８４…第３電極組立体の第２端
１２１０…凸リブリング
１２１２…第１位置決め構造
１４…メスソケット
１４２…第１台座体
１４２２…溝体
１４４…第２環状本体
１４４２…第２溝体
１４６…第４環状本体
１４６２…第４溝体
１４８…第２台座体
１４８２…溝体
１４１０…第２電極組立体
１４１０２…第２電極組立体の第１端
１４１０４…第２電極組立体の第２端
１４１２…第４電極組立体
１４１２２…第４電極組立体の第１端
１４１２４…第４電極組立体の第２端
１４１４…第２位置決め構造
１４１６…蓋本体
１６…環状部材
１６２…係止リング部
１６４…弾性部
１６６…抑圧部
１６６２…山部分
１６６４…谷部分
【図１】
0003231920.tif 000003
【図２】
0003231920.tif 000004
【図３】
0003231920.tif 000005
【図４】
0003231920.tif 000006
【図５】
0003231920.tif 000007
【図６】
0003231920.tif 000008
【図７】
0003231920.tif 000009
【図８】
0003231920.tif 000010
【図９】
0003231920.tif 000011